(57)【特許請求の範囲】
【請求項１】
複数の髭剃り用刃ヘッドを備えるとともに、これら刃ヘッドをほぼ同面に配置している電気かみそりにおいて、複数の刃ヘッドの各肌当たり度合いを検出する検出部と、検出部による検出結果を比較して複数の刃ヘッドが同時に肌に当たっているかどうかを使用者に報知する表示部とを備えていることを特徴とする電気かみそり。
【請求項２】
刃ヘッドを３つ以上備えており、検出部は電極として形成された刃ヘッド間の電気抵抗を測定するものとして形成されていることを特徴とする請求項１記載の電気かみそり。
【請求項３】
各刃ヘッドがフロート自在となっており、検出部は各刃ヘッドの沈み込み量を検出するものとして形成されていることを特徴とする請求項１記載の電気かみそり。
【請求項４】
検出部は各刃ヘッドの肌当たり度合いに応じてオンオフされる複数のスイッチで形成されていることを特徴とする請求項１記載の電気かみそり。
【発明の詳細な説明】
【０００１】
【発明の属する技術分野】
本発明は同時に肌に接触させることができる複数の刃ヘッドを備えた電気かみそりに関するものである。
【０００２】
【従来の技術】
髭の切断効率を高めるために、同時に肌に接触させることができる複数の刃ヘッドを設けた電気かみそりがあるが、この場合、複数の刃ヘッドが同時に肌に当たるようにして髭を剃らなくてはその機能を発揮させることができない。しかし、複数の刃ヘッドを同時に肌に当てるには、顎のような部位に対しても、電気かみそりを肌に当てる角度を常に一定に保つ必要があり、実際上、困難である。
【０００３】
このために、各刃ヘッドをフロート自在にしたり、複数の刃ヘッドを揺動ヘッド部に装着したりすることで、電気かみそりの本体と肌とのなす角度が変化しても、複数の刃ヘッドを同時に肌に当てることができるようにしたものが提供されている。
【０００４】
【発明が解決しようとする課題】
しかし、フロート構造としたり首振り構造とした上記のものにおいても、対応することができる角度変化には限度があり、電気かみそり本体と肌とのなす角度が限度を越えたならば、一つの刃ヘッドしか肌に接触しなかったり、刃ヘッドにおける髭の有効切断域が肌に当たらなかったりして、髭剃り性能が大きく低下してしまう。
【０００５】
本発明はこのような点に鑑みなされたものであって、その目的とするところは複数の刃ヘッドが同時に肌に接触する状態に確実に導くことができる電気かみそりを提供するにある。
【０００６】
【課題を解決するための手段】
しかして本発明は、複数の髭剃り用刃ヘッドを備えるとともに、これら刃ヘッドをほぼ同面に配置している電気かみそりにおいて、複数の刃ヘッドの各肌当たり度合いを検出する検出部と、検出部による検出結果を比較して複数の刃ヘッドが同時に肌に当たっているかどうかを使用者に報知する表示部とを備えていることに特徴を有している。複数の刃ヘッドが同時に肌に当たっていなければ、この点を表示部による報知で使用者に知らせるために、使用者は電気かみそり本体の肌への当て角度が正しくないことを認識することができる。
【０００７】
ここにおける検出部は、刃ヘッドを３つ以上備えたものにおいては、電極として形成された刃ヘッド間の電気抵抗を測定するものとして形成することができる。また、各刃ヘッドがフロート自在となっているものでは、検出部は各刃ヘッドの沈み込み量を検出するものとして形成することができる。検出部は各刃ヘッドの肌当たり度合いに応じてオンオフされる複数のスイッチで形成されたものでもよい。
【０００８】
【発明の実施の形態】
以下本発明を実施の形態の一例に基づいて詳述する。図１及び図２は一例を示すもので、ここにおける往復式の電気かみそりは、平行並列に並ぶ総計３つの刃ヘッド１ａ，１ｂ，１ｃを備えたもので、ほぼ同面に並ぶとともにいずれもフロート自在に設けられたこれら３つの刃ヘッド１ａ，１ｂ，１ｃのうち、中央の刃ヘッド１ａはスリット状の刃孔を外刃に備える荒剃り用となっており、中央刃ヘッド１ａの両側に配された２つの刃ヘッド１ｂ，１ｃはフォイル状の外刃を備えた仕上げ剃り用となっている。
【０００９】
そして、各刃ヘッド１ａ，１ｂ，１ｃの外刃は、夫々電極として形成されており、刃ヘッド１ａの外刃（電極）と刃ヘッド１ｂの外刃（電極）との間に微小電流を流すことで両電極間の電気抵抗値を測定する電気抵抗測定部２１が接続されており、刃ヘッド１ａの外刃（電極）と刃ヘッド１ｃの外刃（電極）との間にも微小電流を流すことで両電極間の電気抵抗値を測定する電気抵抗測定部２２が接続されている。なお、ここで流す微小電流は人体に影響を与えることがない程度のものであり、また各刃ヘッド１ａ，１ｂ，１ｃ間は絶縁構造としている。
【００１０】
各刃ヘッド１ａ，１ｂ，１ｃの肌への当たり度合い（接触面積）は、電気かみそり本体を肌に当てる角度によって変化するが、今、各刃ヘッド１ａ，１ｂにおける外刃の肌当たり度合いと、刃ヘッド１ａ，１ｃにおける外刃の肌当たり度合いが等しければ、肌当たり検出部２である上記両電気抵抗測定部２１，２２で測定される電気抵抗値はほぼ同じとなる。しかし、刃ヘッド１ａ，１ｂにおける外刃の肌当たり度合いが刃ヘッド１ａ，１ｃにおける外刃の肌当たり度合いより悪い場合には、電気抵抗測定部２１で測定される電気抵抗値が電気抵抗測定部２２で測定される電気抵抗値よりも大きくなる。
【００１１】
従って、両電気抵抗測定部２１，２２で測定される電気抵抗値を比較して、所定値以上の差がある時には表示部４を駆動することで、電気かみそりの肌への当て角度が不適切であることを使用者に報知することができる。このように、両電気抵抗測定部２１，２２で測定される電気抵抗値を比較して、所定値以上の差がある時にはたとえばブザーで形成された表示部４を駆動する傾き検出部３を設けることで、使用者は現在の電気かみそりの肌への当て角度の良否を知ることができる。また、両電気抵抗測定部２１，２２で測定される電気抵抗値の差が所定値内に収まるように、電気かみそり本体１の肌への当て角度を所定の範囲（図３中の２α）内にすることを、表示部４による報知を参照して行うことができる。
【００１２】
図４及び図５に他例を示す。平行並列に並ぶ２つの刃ヘッド１ｂ，１ｃを備えたもので、各刃ヘッド１ｂ、１ｃはその両端部において、刃フレーム１０に一体に設けられたばね片１１に連結されることで、フロート自在となっている。そして、各刃ヘッド１ｂ、１ｃと、刃フレーム１０内に設けた２つのフロート量検出部２３，２４とが夫々連結部材２５，２５によって連結されており、刃ヘッド１ｂ，１ｃのフロート量（沈み込み量）に応じた出力をフロート量検出部２３，２４から得た傾き検出部３は、両出力を比較して、その差が所定値を超える場合に表示部４を駆動する。
【００１３】
２つの刃ヘッド１ｂ，１ｃが同時に肌に当たっている場合には、両刃ヘッド１ｂ，１ｃのフロート量もほぼ同じとなるが、片方の刃ヘッド１ｂしか肌に当たっていないような場合には、刃ヘッド１ｂのみが沈み、他方の刃ヘッド１ｃは沈まないために、フロート量の比較により、両刃ヘッド１ｂ，１ｃの肌当たり度合いを測定することができるものである。
【００１４】
図６に更に他例を示す。これは、平行並列に並ぶとともにフロート自在に保持された２つの刃ヘッド１ｂ，１ｃを備えたもので、刃ヘッド１ｂが沈むとオンとなるスイッチ２６ａと、刃ヘッド１ｃが沈むとオンとなるスイッチ２６ｂとを設け、さらに両スイッチ２６ａ，２６ｂのオンオフ状態に応じて肌当たり度合いを検出する接触検知部２７を設けている。
【００１５】
２つのスイッチ２６ａ，２６ｂが共にオフであれば、両刃ヘッド１ｂ、１ｃは肌に接触しておらず、２つのスイッチ２６ａ，２６ｂが共にオンであれば、両刃ヘッド１ｂ、１ｃが適切に肌に接触していると判断し、さらに２つのスイッチ２６ａ，２６ｂのいずれか一方のみがオンであるならば、電気かみそり本体の肌への当て角度が不適切であるとして、表示部４を駆動する。
【００１６】
【発明の効果】
以上のように本発明においては、同時に肌に接触させることができる複数の刃ヘッドを備えることで髭の切断効率を高めている電気かみそりにおいて、複数の刃ヘッドの各肌当たり度合いを検出する検出部と、検出部による検出結果を比較して複数の刃ヘッドが同時に肌に当たっているかどうかを使用者に報知する表示部とを備えているために、複数の刃ヘッドが同時に肌に当たっていなければ、この点を表示部による報知で使用者は知ることができて電気かみそり本体の肌への当て角度が正しくないことを認識することができるものであり、また使用者にしてみれば、表示部による報知に基づいて、肌への当て角度を適正に保つことができるものである。
【図面の簡単な説明】
【図１】本発明の実施の形態の一例の断面図である。
【図２】同上のブロック回路図である。
【図３】同上の説明図である。
【図４】同上の他例の断面図である。
【図５】同上の説明図である。
【図６】同上の更に他例の断面図である。
【符号の説明】
１ａ，１ｂ，１ｃ  刃ヘッド
２   肌当たり検出部
【図１】
0004130712.tif 000002
【図２】
0004130712.tif 000003
【図３】
0004130712.tif 000004
【図４】
0004130712.tif 000005
【図５】
0004130712.tif 000006
【図６】
0004130712.tif 000007